(57)【特許請求の範囲】
【請求項１】
伝送経路から伝送される同一情報を有し、復調における時間デインタリーブ処理により時間遅延が生じる複数の信号が入力される入力部と、
前記入力部から出力される出力信号を復調する復調部と、
前記信号の時間デインタリーブに必要な最大シンボルバッファ量の容量を有し、前記復調部により時間デインタリーブされた信号を前記信号ごとに記憶する記憶部と、
前記復調部において復調された復調信号を時間遅延させるために、前記記憶部の未使用領域を使用するように前記記憶部を制御する制御部と、
を備えることを特徴とする遅延装置。
【請求項２】
請求項１に記載の遅延装置において、
前記入力部は、同一放送部から伝送される同一の情報を含む同一周波数でありながら復調における時間デインタリーブ処理により時間遅延が生じる複数の階層信号が入力される入力部であることを特徴とする遅延装置。
【請求項３】
請求項１に記載の遅延装置において、
前記入力部は、複数の異なる伝送経路から伝送される同一情報を含む復調における時間デインタリーブ処理により時間遅延が生じる複数の信号が入力される入力部であることを特徴とする遅延装置。
【請求項４】
請求項１乃至３のいずれか一項に記載の遅延装置において、
前記入力部に入力される信号の少なくとも一つには、直交周波数分割多重信号が含まれることを特徴とする遅延装置。
【請求項５】
伝送経路から伝送される同一情報を有し、復調における時間デインタリーブ処理により時間遅延が生じる複数の信号が入力される入力工程と、
前記入力工程において出力される出力信号を復調する復調工程と、
前記信号の時間デインタリーブに必要な最大シンボルバッファ量の容量を有する記憶部に、前記復調工程により時間デインタリーブされた信号を前記信号ごとに記憶する記憶工程と、
前記復調工程において復調された復調信号を時間遅延させるために、前記記憶部の未使用領域を使用するように前記記憶工程を制御する制御工程と、
を含むことを特徴とする遅延装置の制御方法。
【請求項６】
遅延装置に含まれるコンピュータを、
伝送経路から伝送される同一情報を有し、復調における時間デインタリーブ処理により時間遅延が生じる複数の信号が入力される入力部、
前記入力部から出力される出力信号を復調する復調部、
前記信号の時間デインタリーブに必要な最大シンボルバッファ量の容量を有し、前記復調部により時間デインタリーブされた信号を前記信号ごとに記憶する記憶部、及び
前記復調部において復調された復調信号を時間遅延させるために、前記記憶部の未使用領域を使用するように前記記憶部を制御する制御部として機能させることを特徴とする遅延装置の制御プログラム。
【請求項７】
請求項６に記載の遅延装置の制御プログラムがコンピュータに読み取り可能に記録されていることを特徴とする記録媒体。
【発明の詳細な説明】
【技術分野】
【０００１】
本願は、デジタル放送受信装置の分野に関する。
【背景技術】
【０００２】
地上デジタル放送では、携帯電話向けのいわゆるワンセグ放送と、固定受信向けのハイビジョン放送があり、同一コンテンツ情報（番組の内容）を異なる画質で放送するサイマル放送が行なわれることが多い。これらは階層ごとに放送され、ワンセグ放送を強階層、ハイビジョン放送を弱階層と呼ぶ。強階層は携帯電話や自動車受信向けの階層で、画質は劣るが受信エリアが広いために移動受信に適している変調方式を有している。一方、弱階層は固定受信向けの階層で、高画質ではあるが受信エリアが狭くなる変調方式を有している。車載向けチューナではこれらの２つの放送を受信状況に応じて切り替えて使用する場合がある。
【０００３】
地上デジタル放送では、デジタル変調された送信波によって放送されており、受信するときに誤ったデータが伝送されないように様々なエラー訂正機能が設けられている。その中の一つに時間インターリーブ処理という技術が採用されている。時間インターリーブ処理は変調後のシンボルデータを時間的に分散させ、フェージング性能を向上させる効果がある。分散させる時間を長くするほどフェージング性能が向上するが、長時間分散された信号を受信して再び映像に戻す場合には、少なくとも分散させた時間だけ信号に遅延が発生する。従って、時間分散された信号を復調する場合には、分散されたデータがそろうまで信号を記憶しておくためのメモリ領域が必要となる。
【０００４】
時間インターリーブ処理を行う強階層と弱階層において、伝送パラメータ（ＴＭＣＣ：Transmission and Multiplexing Configuration Control）によって示される時間インターリーブ値は自由に設定される。従って、強階層と弱階層とでは、時間インターリーブ値が異なる場合がある。例えば、ＴＭＣＣにおける伝送モード３ガードインターバル１／８においては、強階層では時間インターリーブ値Ｉ＝４というパラメータで、弱階層では時間インターリーブ値Ｉ＝２というパラメータが設定できる。この場合の強階層と弱階層の出力間には理論的には１フレーム（約２３１ｍｓ）の遅延が発生する。すなわち、それぞれの階層出力であるＭＰＥＧ２−ＴＳ（Transport Stream）間で１フレームの遅延が発生する。
【０００５】
したがって、視聴者がワンセグ放送からハイビジョン放送に切り替えたとき（強階層と弱階層との出力を切り替える）には、遅延分だけコンテンツ内容がずれてしまうことになる。具体的には、ワンセグ放送からハイビジョン放送に切り替えたときには、遅延分のコンテンツ内容を視聴できなくなり、ハイビジョン放送からワンセグ放送に切り替えたときには、遅延分のコンテンツ内容を２度視聴することになる。
【０００６】
このような現象は、日本における地上デジタル放送に限られるわけではなく、様々な伝送方式およびそれらの復調装置においても発生する現象である。
【特許文献１】特開２０００−１１５１４９号公報
【発明の開示】
【発明が解決しようとする課題】
【０００７】
しかしながら、上記の問題を解決するには、従来は、時間インターリーブ値Ｉ＝２で放送されている階層のＭＰＥＧ２−ＴＳの情報を時間インターリーブ値Ｉ＝４の出力タイミングになるまでバッファリングするためのメモリを追加して設けて、ＭＰＥＧ２−ＴＳの情報を出力する時間を遅延させなければならなかった。すなわち、遅延が発生する情報量をバッファリングするためのメモリを新たに追加しなければならず、機器の価格の上昇およびメモリを実装するためのスペースが新たに必要になるという不都合があった。
【０００８】
また、他の方式である周波数分割多重方式と時分割多重方式とを併用する欧州のＤＶＢ（Digital Video Broadcasting）等の伝送方式、携帯電話等の通信機器、および伝送経路が異なる変調信号を復調する場合にも同様の不都合が発生することが考えられる。
【０００９】
本発明が解決しようとしている課題には、上記の不都合が一例として挙げられる。
【００１０】
上記の不都合を解決するために、デジタル放送におけるパラメータがどのように設定されていても、デジタル放送を受信した後の復調装置においてあらかじめ備えられているメモリ等の記憶装置を有効に活用することにより、同一コンテンツ情報を異なる伝送経路で受信された場合や、強電界と弱電界とが復調装置において切り替えて受信された場合においても、復調装置から出力される情報に時間遅延が殆どは発生することがない遅延装置、遅延装置の制御方法、遅延装置の制御プログラムおよび遅延装置の制御プログラムを記録した記録媒体を提供することを目的とする。
【課題を解決するための手段】
【００１１】
本発明の請求項１に記載の遅延装置は、伝送経路から伝送される同一情報を有し、復調における時間デインタリーブ処理により時間遅延が生じる複数の信号が入力される入力部と、前記入力部から出力される出力信号を復調する復調部と、前記信号の時間デインタリーブに必要な最大シンボルバッファ量の容量を有し、前記復調部により時間デインタリーブされた信号を前記信号ごとに記憶する記憶部と、前記復調部において復調された復調信号を時間遅延させるために、前記記憶部の未使用領域を使用するように前記記憶部を制御する制御部と、を備えることを特徴とする。
【００１２】
本発明の請求項５に記載の遅延装置の制御方法は、伝送経路から伝送される同一情報を有し、復調における時間デインタリーブ処理により時間遅延が生じる複数の信号が入力される入力工程と、前記入力工程において出力される出力信号を復調する復調工程と、前記信号の時間デインタリーブに必要な最大シンボルバッファ量の容量を有する記憶部に、前記復調工程により時間デインタリーブされた信号を前記信号ごとに記憶する記憶工程と、前記復調工程において復調された復調信号を時間遅延させるために、前記記憶部の未使用領域を使用するように前記記憶工程を制御する制御工程と、を含むことを特徴とする。
【００１３】
本発明の請求項６に記載の遅延装置の制御プログラムは、遅延装置に含まれるコンピュータを、伝送経路から伝送される同一情報を有し、復調における時間デインタリーブ処理により時間遅延が生じる複数の信号が入力される入力部、前記入力部から出力される出力信号を復調する復調部、前記信号の時間デインタリーブに必要な最大シンボルバッファ量の容量を有し、前記復調部により時間デインタリーブされた信号を前記信号ごとに記憶する記憶部、及び前記復調部において復調された復調信号を時間遅延させるために、前記記憶部の未使用領域を使用するように前記記憶部を制御する制御部、として機能させることを特徴とする。
【発明を実施するための最良の形態】
【００１４】
次に、本願に最適な実施の形態について、図１に基づいて説明する。図１は、本実施形態に係わる復調装置を利用した遅延装置の構成例である。
【００１５】
本実施の形態にかかる多重変調信号復調装置（本復調装置）は、ＯＦＤＭ方式を用いてデータの伝送を行う地上波デジタル放送を復調するためのものであり、アンテナや、表示装置、スピーカ（音響装置）といった他の装置とともに、地上波デジタル放送受信機に備えられるものである。
【００１６】
この図に示すように、本復調装置は、ＦＦＴ部１（入力部）、差動復調・同期復調部２、周波数デインターリーブ部３、階層分割部４、制御回路部５（制御部）、時間デインターリーブ部６および１１（復調部）、記憶部７および１２（記憶部）、デパンクチャード部８および１５、階層バッファ部９および１６、階層合成部１０とからなる。
【００１７】
また、一般の地上デジタル放送の復調装置としては、この他にチューナ、アナログ／ デジタル変換回路、ビタビ復号回路、ＲＳ復号回路、ＭＰＥＧデコード回路、およびデジタル／ アナログ変換回路等の回路構成を含む。
【００１８】
制御回路部５は、本復調装置の全動作を制御する、本復調装置の中枢部である。すなわち、制御回路部５は、本復調装置に備えられる各構成要素を制御し、入力された信号を復調させるものである。
【００１９】
まず、チューナにＲＦ信号が入力されることにより、本復調装置における復調処理が開始される。なお、このＲＦ信号は、本復調装置とともに地上波デジタル放送受信機に備えられるアンテナによって捉えられたものである。
【００２０】
チューナにＲＦ信号が入力されると、制御回路部５は、チューナを制御し、指定されたチャネルの周波数をＲＦ信号からダウンコンバートし、連続時間アナログ信号（アナログＩＦ信号あるいはアナログベースバンド信号）を生成させる。そして、この連続時間アナログ信号は、チューナからアナログ／デジタル変換回路に出力される。
【００２１】
なお、チャネルの指定は、図示しない操作入力部に対してユーザが行うようになっている。
【００２２】
次に、制御回路部５は、アナログ／デジタル変換回路を制御し、チューナから入力された連続時間アナログ信号であるアナログＩＦ信号あるいはアナログベースバンド信号を、ＡＤ変換部で離散時間デジタル信号に変換させる。さらに、アナログ／デジタル変換回路は、ＩＱ検波部で、ヒルベルト変換等を用いて、ＡＤ変換部で変換された離散時間デジタル信号に対して直交分離を行い、Ｉ軸（Ｉｎ−ｐｈａｓｅ軸、実軸）データとＱ軸（Ｑｕａｄｒａｔｕｒｅ軸、虚軸） データ（直交座標値）を生成する。
【００２３】
そして、アナログ／デジタル変換回路は、このように生成されるＩ軸データおよびＱ軸データをＦＦＴ部１へ出力する。
【００２４】
次に、制御回路部５は、ＦＦＴ（高速フーリエ変換：Fast Fourier Transformer）回路１を制御して、アナログ／デジタル変換回路から入力されるデータに対して、Ｉ軸データとＱ軸データのそれぞれに高速フーリエ変換を行って、時間領域データを周波数領域データへ変換させる。
【００２５】
次に、制御回路部５は、差動復調・同期復調部２を制御して、同期変調方式のパイロット信号の振幅と位相を基準として、データを復調させる。
【００２６】
すなわち、ＴＭＣＣ情報に応じて、差動復調・同期復調部２の差動復調部はＤ（Differential）ＱＰＳＫ用に差動復調を行い、差動復調・同期復調部２の同期復調部はＱＰＳＫ(Quadrature Phase Shift Keying)、１６ＱＡＭ(Quadrature Amplitude Modulation)、６４ＱＡＭ用に同期復調を行い、差動復調部の出力と同期復調部の出力とを合成することにより、復調データを生成する。
【００２７】
差動復調・同期復調部２では、受信されたパイロット信号から算出された伝送路特性に対し、シンボル方向に等化するシンボルフィルタとキャリア方向に等化するキャリアフィルタとを用いて２次元のフィルタリング処理を施すといった、雑音耐性を改善した等化方式が採用されている。ＯＦＤＭ方式は、同じ伝送レートで比較した場合、シングルキャリア方式よりも変調波のシンボル周期を長くとることができるため、遅延波によるシンボル間干渉の影響を受けにくいという特徴を有している。
【００２８】
次に、制御回路部５は、周波数デインターリーブ部３を制御して、周波数デインターリーブ部３に電波の反射等による特定周波数信号の欠落を補うためおよび耐フェージングのために行われる周波数インターリーブ処理の逆処理を行わせる。周波数インターリーブ処理は地上波デジタル放送の伝送路符号化において、セグメントの構造を確保しつつ、十分なインターリーブ効果が発揮できるように、セグメント間、セグメント内で行なわれる。      
【００２９】
周波数デインターリーブ処理は周波数インターリーブ処理の逆処理であるので、周波数デインターリーブ処理の替わりに、周波数インターリーブ処理について以下に説明する。
【００３０】
周波数インターリーブ処理は、伝送モード情報（ＴＭＣＣ(Transmission and Multiplexing Configuration Control)情報）を受ける周波数インターリーブ部で行なわれる。周波数インターリーブ部は、内部メモリ、伝送モード情報格納メモリ、ＴＭＣＣ情報格納メモリ、セグメント間インターリーブテーブルメモリ、キャリアローテーションテーブルメモリ、キャリアランダマイズテーブルメモリおよびセグメント並び替えテーブルメモリを独立に備えている。これらの各テーブルはそれぞれの入力データに対して周波数インターリーブを施すためのテーブルである。
【００３１】
周波数インターリーブを行う各処理毎のテーブルを、伝送モード情報やＴＭＣＣ情報に基づき予めセグメント間インターリーブテーブルメモリ、キャリアローテーションテーブルメモリ、キャリアランダマイズテーブルメモリおよびセグメント並び替えテーブルメモリに作成しておく。このテーブルは伝送モード情報やＴＭＣＣ情報の変更毎に更新される。
【００３２】
入力ベースバンドデータＩ、Ｑキャリアシンボルを内部メモリに格納し、セグメント間インターリーブテーブルメモリのテーブルを参照して得た読み出しアドレスにしたがって内部メモリからデータを読み出すことによりセグメント間インターリーブを行って内部メモリに格納する。内部メモリからセグメント間インターリーブが施されたデータをキャリアローテーションテーブルメモリのテーブルを参照して得た読み出しアドレスにしたがって読み出すことによりキャリアローテーションを行って内部メモリに格納する。内部メモリからキャリアローテーションが施されたデータをキャリアランダマイズテーブルメモリのテーブルを参照して得た読み出しアドレスにしたがって読み出すことによりキャリアランダマイズを行って内部メモリに格納する。内部メモリからキャリアランダマイズが施されたデータをセグメント並び替えテーブルメモリのテーブルを参照して得た読み出しアドレスにしたがって読み出すことによりセグメント並び替えを行って内部メモリに格納する。次のＯＦＤＭシンボル割り込み信号が入力されるとセグメント並び替えが施されたデータを内部メモリから読み出して出力ベースバンドデータＩ′、Ｑ′（キャリアシンボル）として出力すると共に、次に入力されたベースバンドデータＩ、Ｑを内部メモリに格納し、同様に動作して周波数インターリーブを行っている。
【００３３】
周波数デインターリーブ部３の出力信号は、階層分割部４に入力される。
【００３４】
次に、階層分割部４について説明する。
【００３５】
最初に階層構造の概要について説明する。地上波デジタル放送の伝送路符号化方式により規定される放送データは、トランスポートストリームパケット複数個からなるデータのグループ（データセグメントとも記す）単位で構成され、データセグメントに同期捕捉のためのパイロット信号を付加したＯＦＤＭブロック（ＯＦＤＭセグメントとも記す）を１３個組み合わせて、ＯＦＤＭフレームとして送信される。この方式によれば、伝送特性の異なる複数の階層を同時に伝送する階層伝送が可能である。
【００３６】
各階層は、１つまたは複数のデータセグメントにより構成され、階層ごとにキャリア変調方式、内符号の符号化率および時間インターリーブの長さなどのパラメータを指定することができる。
【００３７】
階層伝送を行う場合には、階層情報の指定に沿って階層分割され、最大３系統の並列処理が行われる。また、中央部の１つのＯＦＤＭセグメントについては、１つのＯＦＤＭセグメントのみを受信できる受信機を用いてサービスの一部を部分受信可能とすることができる。
【００３８】
階層伝送は、一つの階層Ａを１３データセグメントで構成すること、および、例えば、一つの階層Ａを１データセグメント、他の階層階層Ｂを１２データセグメントのようにも構成することもできる。
【００３９】
この場合、階層Ａはいわゆるワンセグという携帯電話等の移動体のためのコンテンツを放送する強階層と呼ばれる階層であり、階層Ｂはハイビジョン放送等の固定受信のためのコンテンツを放送する弱階層と呼ばれる階層である。
【００４０】
例えば、強階層はＤＱＰＳＫが１／２であって１セグメントを使用し、弱階層は６４ＱＡＭが７／８であって１２セグメント使用し、１／８ガードインターバル、伝送モード３とすることができる。
【００４１】
ここで弱階層は、時間インターリーブＩ＝４とすると、遅延フレーム数は２である。また、強階層は、時間インターリーブＩ＝２とすると、遅延フレーム数は１である。
【００４２】
階層分割部４は、各セグメント中のＴＭＣＣまたはＡＣ（Auxiliary Channel）を抽出することによって、各セグメントが強階層か弱階層かを判断する。そして、強階層セグメントは、時間デインターリーブ部６に入力され、弱階層セグメントは、時間デインターリーブ部１１に入力される。
【００４３】
次に時間デインターリーブ部６および１１について説明する。
【００４４】
時間デインターリーブ処理は、時間インターリーブ処理と逆の処理を行なうことになるので、以下に、時間デインターリーブ処理に替えて、時間インターリーブ処理について説明する。
【００４５】
地上デジタル放送の伝送路符号化において、隣接している変調後のデータを時間的に分散させることで、耐フェージング性能を確保するために時間インターリーブ処理が行われる。
【００４６】
また、地上デジタル放送では、ＴＭＣＣがどのようなパラメータで放送されても受信できるように復調ＩＣ（Integrated Circuit）等の復調装置が設計されており、それに応じたＳＤＲＡＭ(Synchronous Dynamic Random Access Memory)等のメモリが設けられている。信号に時間インターリーブ処理をかけた場合に、最もメモリを占有するのは、伝送モード３では、時間インターリーブパラメータＩが４の場合である。Ｉ＝４の場合には、２フレームの時間遅延が発生するので、２フレームのデータ量を蓄積するメモリが必要になる。
【００４７】
ここで、１フレームのデータ量はガードインターバルパラメータ（GI）と伝送モードパラメータによって異なる。例えば、ＧＩ＝１／８であって、伝送モード３の場合には、およそ２３１．３６６ｍｓ分のデータ量が蓄積される。
【００４８】
また、階層伝送を行う場合には、階層情報の指定に沿って階層分割され、最大３系統の並列処理が行われる。
【００４９】
また、時間インターリーブの長さを階層単位で指定することにより、各階層毎に異なった伝送路、すなわち各階層毎に異なった受信形態を対象にしている場合、各伝送路に最適な時間インターリーブの長さを設定することを可能としている。
【００５０】
また、送信側において階層合成された信号に対して、変調シンボル単位（Ｉ、Ｑ軸単位）でインターリーブ処理が行われる。時間インターリーブの長さＩは伝送モード１で、０、４、８、１６が選択でき、伝送モード２で、０、２、４、８が選択でき、伝送モード３で、０、１、２、４が選択できるように規定されている。
【００５１】
時間インターリーブ処理を行なう場合には、伝送モード１、２、３のそれぞれのキャリア番号に対してシンボルバッファが必要になる。伝送モード１に対してはキャリアの番号０〜９５に対するシンボルバッファを備え、伝送モード２に対しては、伝送モード１の場合のキャリアの番号０〜９５に対するシンボルバッファを用い、キャリアの番号９６〜１９１に対するシンボルバッファを備え、伝送モード３に対しては、伝送モード１の場合のキャリアの番号０〜９５に対するシンボルバッファおよび伝送モード２の場合のキャリアの番号９６〜１９１に対するシンボルバッファを用い、キャリアの番号１９２〜３８３に対するシンボルバッファを備えて対応する。
【００５２】
このように時間インターリーブ方法によるときは、伝送モード、時間インターリーブの長さに応じた最大シンボルバッファ量が必要になる。
【００５３】
したがって、時間インターリーブ処理を行なう場合には、復調装置において、時間インターリーブされる最大記憶容量のシンボルバッファ量が用意されている。
【００５４】
そのために、時間デインターリーブ部６および１１においても、３系統まで伝送できる構成となっているために、記憶部７および１２は、最大記憶容量のシンボルバッファ量が用意されている。
【００５５】
しかし、最大シンボルバッファ量まで使用されるのは限られた場合であるので、殆どの伝送モードおよび時間インターリーブ長の場合には、記憶容量を最大限まで使用することはない。
【００５６】
次に、デパンクチャード部８および１５について説明する。
【００５７】
制御回路部５は、デパンクチャード部８を制御し、ワンセグ放送である強階層のデータに対して、送信側におけるパンクチャード部によりデータが削除されたビット位置にダミーデータを挿入させる。同様に、デパンクチャード部１５は、ハイビジョン放送である弱階層のデータに対して、送信側におけるパンクチャード部によりデータが削除されたビット位置にダミーデータを挿入する。
【００５８】
次に、階層バッファ部９および１６について説明する。
【００５９】
制御回路部５は、階層バッファ部９を制御し、階層バッファ部９のメモリ部に入力されるワンセグ放送である強階層のデータが１ＴＳ（Transport Stream）パケット分（４０８バイト）蓄積されると、蓄積されたＴＳパケット分のデータを、階層合成部１０へ出力させる。
【００６０】
また、階層バッファ部１６は、階層バッファ部１６のメモリ部に入力されるハイビジョン放送である弱階層のデータが１ＴＳパケット分（４０８バイト）蓄積されると、蓄積されたＴＳパケット分のデータを、階層合成部１０へ出力する。
【００６１】
蓄積されたＴＳパケットは、後述する構成によってコンテンツ情報としての映像および音声として視聴される。
【００６２】
ところで、携帯電話や車載用の地上デジタル放送では、弱階層を受信できるエリアでは高画質を楽しむために弱階層を受信するようにする。また、弱階層が受信できないエリアでは強階層を受信して、より広いエリアで地上デジタル放送のコンテンツ情報を楽しめるように、受信状況に応じて階層を切り替える機能がある。
【００６３】
この場合、弱階層と強階層との境のエリアでは、２つの階層を交互に受信することが頻繁におきる。しかし、放送によっては時間インターリーブの値が階層ごとに異なる場合があり、強階層と弱階層とで受信する電波の遅延時間が異なる場合がある。
【００６４】
例えば、伝送モード３でガードインターバルが１／８の場合に、弱階層の時間インターリーブが０（Ｉ＝０）、強階層の時間インターリーブが４（Ｉ＝４）であれば、２フレーム、すなわち約０．４６秒の時間差が発生する。このため、強階層から弱階層に切り替えが行なわれた場合には、約０．４６秒のコンテンツ情報が欠落してしまう。
【００６５】
しかし、本実施形態にかかわる復調装置においては、どのような時間インターリーブ値を持った地上デジタル放送にも対応するために、時間デインターリーブ部６の記憶部７および時間デインターリーブ部１１の記憶部１２は最大限のメモリ領域を有している。
【００６６】
したがって、弱階層で時間インターリーブが０の場合には、弱階層の時間インターリーブが４の場合に比較してシンボルデータの分散時間が少ないために、弱階層用の記憶部１２の全領域を使用することはない。すなわち、記憶部１２の記憶領域１３は弱階層の時間インターリーブ０用に使用されるが、記憶部１２の記憶領域１４は時間インターリーブ用のメモリとしては使用されない。
【００６７】
そこで、記憶領域１４を、階層バッファ部１６から出力されたデータに対してＦＩＦＯ（First In First Out）メモリ（入力されるデータを順次記憶していき、入力されてきた順番にデータを出力させて、データを遅延させるメモリ）として機能するように制御部５が制御することができる。
【００６８】
このように、時間インターリーブ処理によってデータが遅延している階層（本実施形態においては弱階層のことである。）の遅延量に該当するデータを、時間デインターリーブ部の記憶部の未使用領域を用いて記憶する。そして、遅延していない階層（本実施形態においては強階層のことである。）から、弱階層に切り替えた場合に、弱階層の記憶部に記憶されているデータのうちで、最初に記憶された部分から階層合成部へＴＳパケットを出力することで、弱階層の遅延量に該当する時間だけ遡って視聴者はコンテンツ情報を視聴できるので、視聴者は強階層から弱階層に切り替わった場合のデータの遅延を感じることはない。
【００６９】
また、強階層から弱階層に切り替わる場合には、強階層の階層バッファ部９から出力されるＴＳパケットのコンテンツ中における時間は、弱階層の記憶領域１４から階層合成部１０へ出力されているＴＳパケットのコンテンツ中における時間と同じになるために、視聴者は弱階層から強階層に切り替わった場合におけるデータの遅延等の時間差を感じることはない。
【００７０】
階層バッファ部９から出力される信号Ｓｔ３におけるコンテンツ情報の時間と、階層バッファ部１６から出力される信号Ｓｔ１におけるコンテンツ情報の時間とは、遅延時間分だけの時間差がある。
【００７１】
しかし、階層バッファ部９から出力される信号Ｓｔ３におけるコンテンツ情報の時間と、記憶領域１４から出力される信号Ｓｔ２におけるコンテンツ情報の時間とは、遅延時間分だけの時間差が解消されて同じコンテンツ情報の時間となる。
【００７２】
また、記憶部７に未使用領域があるような伝送パラメータの場合には、制御部５は、記憶部１２の記憶領域１４と記憶部７の未使用領域をＦＩＦＯメモリとして連続した領域として使用することができる。
【００７３】
また、弱階層の遅延量分のデータ領域を記憶部７および記憶部１２を用いて確保できなかった場合においても、記憶部７および記憶部１２の未使用領域を使用して未使用領域に対応した弱階層のデータを蓄積することができる。この場合には、弱階層と強階層との間でスイッチングを繰り返した場合における、コンテンツ情報の時間のずれによって生じる視聴者が感じる不快感を減じることができる。
【００７４】
また、記憶部が複数ある場合には、制御回路部５は、時間デインターリーブ処理される時間が最も短い階層における時間デインターリーブ処理に使用されるための記憶部から、優先的に順番に、遅延時間の大きい階層のデータを記憶する記憶部として使用することができる。また、ＴＭＣＣパラメータ等の信号の伝送方法に対するパラメータに対してあらかじめ優先順位付けを行ない、その優先順位に基づいて、時間デインターリーブ処理に使用されるための記憶部を、遅延時間の大きい階層のデータを記憶する記憶部として使用することができる。
【００７５】
次に、階層合成部１０について説明する。
【００７６】
制御回路部５は階層合成部１０を制御し、階層バッファ部９から入力される強階層のＴＳパケットを単位としたデータと、記憶部１２から入力される弱階層のＴＳパケットを単位としたデータとを合成して、単一ＴＳを生成させる。
【００７７】
以下に、図１に示されていない階層合成後の複合処理について説明する。
【００７８】
次に、階層合成部１０から出力された単一ＴＳは、ＴＳ再生部によってＴＳ毎に再生処理が行なわれる。再生処理されたＴＳは、ビタビ復号回路において、変調装置において行われた畳込みの逆処理を行いつつ、誤りを訂正する（ビタビ復号させる）。そして、この処理によって得られたデータをビタビ復号回路は、ＲＳ復号回路に出力する。
【００７９】
ＲＳ復号回路は、ＲＳ符号化の逆処理を行いつつ、誤りを訂正する（ＲＳ復号させる）。そして、ＲＳ復号回路は、この処理によって得られたデータを、ＲＳ復号回路からＭＰＥＧデコード回路へ出力する。
【００８０】
次に、ＭＰＥＧデコード回路は、ＲＳ復号回路から入力されたデータに対して、変調装置において行われたＭＰＥＧ方式による圧縮の逆処理（ＭＰＥＧデコード）を行って、データを伸長させる。そして、ＭＰＥＧデコード回路は、この処理によって得られたデータをＭＰＥＧデコード回路からデジタル／アナログ変換回路へ出力する。
【００８１】
そして、デジタル／アナログ変換回路は、ＭＰＥＧデコード回路から入力されたデータを、デジタル信号からアナログ信号に変換させる。さらに、デジタル／アナログ変換回路は、このように作成したアナログ信号を、デジタル／アナログ変換回路から図示しない映像・音声等の出力装置に出力させる。
【００８２】
このようにして、ＯＦＤＭ方式で変調される前の映像信号および音声信号が、本復調装置によって再生（復調）され、映像や音声を再現するために表示装置および音響装置に出力される。
【００８３】
なお、本願は地上デジタル放送のいわゆるワンセグ放送に適用した場合について述べてきたが、これに限られるわけではなく、周波数分割多重方式と時分割多重方式とを併用するＤＶＢ−Ｈ（Digital Video Broadcasting Handheld）及びＤＶＢ−Ｔ（Digital Video Broadcasting Terrestrial）や、無線ＬＡＮ（Local Area Network）、携帯電話にも適用できる。また、放送ではなく通信にも適用可能であり、本発明の趣旨を逸脱しない範囲において様々な情報伝送方式への適用が可能である。
【００８４】
なお、図１において説明した動作に対応するプログラムを、フレキシブルディスクに予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【００８５】
以上述べてきたように、本実施形態においては、放送されているコンテンツ情報に対する時間インターリーブ処理によるデータ遅延量に応じた、復調装置において使用されていないメモリ領域を利用し、放送されているコンテンツ情報のデータ遅延量を補償することが可能となった。
【００８６】
ＡＲＩＢ（Association of Radio Industries and Business）において定められているどのような変調パラメータにも対応できるようにＯＦＤＭ復調装置（またはＯＦＤＭ復調ＩＣ）は、ＯＦＤＭ復調装置のメモリ領域を確保しておく必要があるので、放送される変調パラメータによっては不要なメモリ領域と階層ごとの遅延時間が発生する。この不要なメモリ領域を階層毎の遅延量を減少させるためのメモリ領域として利用することによって、階層毎の遅延量を減少させるための新たなメモリ領域を増設することなく、階層毎の遅延量を減少させることができる。
【００８７】
また、車載や携帯電話に使用される受信装置においては、受信装置自体の大きさを小さくすることを使用者から要求されているので、少しでも受信装置を小型化することが要求されている。そこで、本実施形態を受信装置に含まれる復調装置に適用すれば、受信装置を小型化することが可能になる。
【００８８】
また、放送されている同一のコンテンツ情報に対して異なる変調方式によって変調された場合、および同時に変調された場合に有効となる。
【００８９】
ここで、同時とは例えば以下のように定義されるものである。地上デジタル放送においては、ＨＤＴＶ放送とワンセグ放送とでは、エンコーダで発生する遅延を考慮して、放送局側で送信するときにはそのずれを補正して放送している場合がある。また生放送でない場合はコンテンツを別の時間にエンコーダにかけて映像圧縮をする場合があるため、厳密には同時にはならない。しかし、視聴するユーザ側からするとコンテンツ情報のずれは数ｍｓから数秒の範囲であるため、広い範囲では同時に放送しているということができる。
【００９０】
さらに、本実施形態は、同一コンテンツ情報を異なる階層や伝送路から、放送、通信している場合に有効となる。
【００９１】
さらに、欧州のＤＶＢは日本における地上デジタル放送とは異なり、周波数分割多重方式と時分割多重方式で伝送しているが、本実施形態を適用することにより、不要なメモリ領域を伝送路毎の遅延量を減少させるように利用することによって、伝送路毎の遅延量を減少させるための新たなメモリ領域を増設することなく、伝送路毎の遅延量を減少させることができる。
【図面の簡単な説明】
【００９２】
【図１】実施形態に係る復調装置を利用した遅延装置の概要構成例を示すブロック図である。
【符号の説明】
【００９３】
１…ＦＦＴ部
２…差動復調・同期復調部
３…周波数デインターリーブ部
４…階層分割部
５…制御回路部
６、１１…時間デインターリーブ部
７、１２…記憶部
８、１５…デパンクチャード部
９、１６…階層バッファ部
１０…階層合成部
１３、１４…記憶領域
【図１】
0004727474.tif 000002